(57)【特許請求の範囲】
【請求項１】
ユーザ端末に対してスポット情報を配信する情報配信装置であって、
テキスト入力可能なサービスを提供するサーバ装置から位置情報付きのテキストデータを取得するテキスト取得手段と、
平面上に、前記位置情報に応じた座標位置に、当該位置情報に対応する前記テキストデータを貼り付けたテキスト地図データを作成するテキスト地図作成手段と、
前記ユーザ端末から当該ユーザの現在位置を受信し、前記テキスト地図データに含まれる位置情報のうち当該ユーザの現在位置から所定範囲内に位置する位置情報に関連付けられたテキストデータから、予め記憶手段に記憶されていた当該ユーザのプロフィールに含まれるテキストを検索し、検索された前記テキストデータに関連付けられた位置情報に基づいてスポットを特定するスポット特定手段と、
前記特定されたスポットに関する情報を前記ユーザ端末に配信するスポット情報配信手段と、を備え、
前記スポット特定手段は、当該ユーザの現在位置から所定範囲内に位置するスポットの前記テキスト地図データをさらに抽出し、
前記スポット情報配信手段は、前記抽出されたテキスト地図データを前記スポット情報とともに配信し、前記スポット情報が示す位置に前記スポット情報に関連付けられた前記テキストデータを配置したテキスト地図を前記ユーザ端末に画面表示させる
ことを特徴とする情報配信装置。
【請求項２】
請求項１に記載の情報配信装置において、
前記スポット情報配信手段は、前記ユーザ端末の現在位置から所定範囲内を表示する地図上に前記スポット情報が示す位置に当該スポットをマッピングした態様で前記ユーザ端末に画面表示させる
ことを特徴とする情報配信装置。
【請求項３】
テキスト入力可能なサービスを提供するサーバ装置と、
ユーザの現在位置を送信するユーザ端末装置と、
前記サーバ装置および前記ユーザ端末装置にネットワークを介してそれぞれ接続され、
前記サーバ装置から位置情報付きのテキストデータを取得するテキスト情報取得手段と、
平面上に、前記位置情報に応じた座標位置に、当該位置情報に対応する前記テキストデータを貼り付けたテキスト地図データを作成するテキスト地図作成手段と、
前記ユーザ端末から当該ユーザの現在位置を受信し、前記テキスト地図データに含まれる位置情報のうち当該ユーザの現在位置から所定範囲内に位置する位置情報に関連付けられたテキストデータから、予め記憶手段に記憶されていた当該ユーザのプロフィールに含まれるテキストを検索し、検索された前記テキストデータに関連付けられた位置情報に基づいてスポットを特定するスポット特定手段と、
前記特定されたスポットに関する情報を前記ユーザ端末に配信するスポット情報配信手段と、を備えた情報配信装置と、を備え、
前記スポット特定手段は、当該ユーザの現在位置から所定範囲内に位置するスポットの前記テキスト地図データをさらに抽出し、
前記スポット情報配信手段は、前記抽出されたテキスト地図データを前記スポット情報とともに配信し、前記スポット情報が示す位置に前記スポット情報に関連付けられた前記テキストデータを配置したテキスト地図を前記ユーザ端末に画面表示させる
ことを特徴とする情報配信システム。
【請求項４】
ユーザ端末に対してスポット情報を配信する情報配信方法であって、
テキスト入力可能なサービスを提供するサーバ装置から位置情報付きのテキストデータを取得するステップと、
平面上に、前記位置情報に応じた座標位置に、当該位置情報に対応する前記テキストデータを貼り付けたテキスト地図データを作成するステップと、
前記ユーザ端末から当該ユーザの現在位置を受信するステップと、
前記テキスト地図データに含まれる位置情報のうち当該ユーザの現在位置から所定範囲内に位置する位置情報に関連付けられたテキストデータから、予め記憶手段に記憶されていた当該ユーザのプロフィールに含まれるテキストを検索し、検索された前記テキストデータに関連付けられた位置情報に基づいてスポットを特定し、当該ユーザの現在位置から所定範囲内に位置するスポットの前記テキスト地図データを抽出するステップと、
前記特定されたスポットに関する情報を前記ユーザ端末に配信するとともに、前記抽出されたテキスト地図データを前記スポット情報とともに配信し、前記スポット情報が示す位置に前記スポット情報に関連付けられた前記テキストデータを配置したテキスト地図を前記ユーザ端末に画面表示させるステップと、を備えた
ことを特徴とする情報配信方法。
【発明の詳細な説明】
【技術分野】
【０００１】
本発明は、スポット情報を配信可能な情報配信装置、情報配信システム、および情報配信方法に関する。
【背景技術】
【０００２】
従来、携帯電話、スマートフォン、ＰＤＡ（Personal Digital Assistant）、ＰＨＳ（Personal Handyphone System）、モバイルコンピュータ等に対し、ネットワークを介して道案内や観光案内等の情報を提供する技術が知られている（例えば、特許文献１参照）。
特許文献１では、渋谷駅周辺を散策したい場合、案内情報を提供するセンタにアクセスして渋谷駅周辺を２〜３時間の予定で案内する案内用スクリプトを実行させ、センタが案内情報を音声や文字などで携帯電話へ送信することにより、時間と場所に応じた案内サービスを受けることができる。
【先行技術文献】
【特許文献】
【０００３】
【特許文献１】特開２０００−２１５２１１号公報
【発明の概要】
【発明が解決しようとする課題】
【０００４】
しかしながら、特許文献１で作成される案内用スクリプトは、一般的なスポットを案内するため、ユーザの意図とは異なる情報が提供される可能性がある。例えば、趣味がアウトドアであるユーザに対して宝石店の情報を送っても有益な情報とはならず、ユーザの満足度を満たすことはできない。
【０００５】
本発明の目的は、ユーザの満足度を満たすスポット情報を配信可能な情報配信装置、情報配信システム、および情報配信方法を提供することである。
【課題を解決するための手段】
【０００６】
本発明の情報配信装置は、ユーザ端末に対してスポット情報を配信する情報配信装置であって、テキスト入力可能なサービスを提供するサーバ装置から位置情報付きのテキストデータを取得するテキスト取得手段と、平面上に、前記位置情報に応じた座標位置に、当該位置情報に対応する前記テキストデータを貼り付けたテキスト地図データを作成するテキスト地図作成手段と、前記ユーザ端末から当該ユーザの現在位置を受信し、前記テキスト地図データに含まれる位置情報のうち当該ユーザの現在位置から所定範囲内に位置する位置情報に関連付けられたテキストデータから、予め記憶手段に記憶されていた当該ユーザのプロフィールに含まれるテキストを検索し、検索された前記テキストデータに関連付けられた位置情報に基づいてスポットを特定するスポット特定手段と、前記特定されたスポットに関する情報を前記ユーザ端末に配信するスポット情報配信手段と、を備え、前記スポット特定手段は、当該ユーザの現在位置から所定範囲内に位置するスポットの前記テキスト地図データをさらに抽出し、前記スポット情報配信手段は、前記抽出されたテキスト地図データを前記スポット情報とともに配信し、前記スポット情報が示す位置に前記スポット情報に関連付けられた前記テキストデータを配置したテキスト地図を前記ユーザ端末に画面表示させることを特徴とする。
【０００７】
この発明では、テキスト入力可能なサービスを提供するサーバ装置から位置情報付きのテキストデータを取得し、これらのデータに基づいてテキスト地図データを作成する。ここで、サーバ装置としては、ブログ、ツイッター等のソーシャルネットワーキングサイトを提供するサーバ装置が挙げられる。これらのサービスでは、テキストの他にも、ユーザの現在の位置情報も同時に送信できるようになっている。また、作成したテキスト地図データと、ユーザのプロフィールと、に基づいて特定されたスポットの情報をユーザ端末に配信する。
テキスト地図データはブログやツイッター等のテキスト入力可能なサービスに書き込まれた記事に基づいて作成されているため、実際にそのスポットを訪れたユーザのそのスポットに関する情報や感想等が反映されている。したがって、ユーザのプロフィールに合致するテキストを含むスポットは、そのユーザが興味を持つスポットとなる可能性が高い。このように、ユーザのプロフィールに基づいて抽出されたスポットの情報は、ユーザにとって有益であるため、ユーザの満足度を満たすことができる。
【０００８】
本発明の情報配信装置において、前記スポット情報配信手段は、前記ユーザ端末の現在位置から所定範囲内を表示する地図上に前記スポット情報が示す位置に当該スポットをマッピングした態様で前記ユーザ端末に画面表示させることが好ましい。
【０００９】
この発明では、スポット情報を地図上にマッピングした態様でユーザ端末に配信して画面表示させる。具体的には、ユーザの現在位置をマッピングした地図に、特定されたスポットをマッピングして表示させる。これによれば、ユーザに地図を提示することにより、ユーザ自身の現在位置と、おすすめのスポットとの位置関係や、道順等を一目で把握することができ、利便性が高い。
【００１０】
本発明の情報配信装置において、前記スポット特定手段は、当該ユーザの現在位置から所定範囲内に位置するスポットの前記テキスト地図データをさらに抽出し、前記スポット情報配信手段は、前記抽出されたテキスト地図データを前記スポット情報とともに配信し、前記スポット情報が示す位置に前記スポット情報に関連付けられた前記テキストデータを配置したテキスト地図を前記ユーザ端末に画面表示させることが好ましい。
【００１１】
この発明では、ユーザ端末にスポット情報を配信する際、スポット情報の他にもテキスト地図をユーザ端末で画面表示させる。テキスト地図とは、各テキスト地図データの座標が示す位置に該当するテキストが貼り付けられたものである。
したがって、ユーザはユーザ端末に画面表示されたテキスト地図を確認することで、その他のテキストを閲覧することができ、より詳細な情報を得ることができる。
【００１２】
本発明の情報配信システムは、テキスト入力可能なサービスを提供するサーバ装置と、ユーザの現在位置を送信するユーザ端末装置と、前記サーバ装置および前記ユーザ端末装置にネットワークを介してそれぞれ接続され、前記サーバ装置から位置情報付きのテキストデータを取得するテキスト情報取得手段と、平面上に、前記位置情報に応じた座標位置に、当該位置情報に対応する前記テキストデータを貼り付けたテキスト地図データを作成するテキスト地図作成手段と、前記ユーザ端末から当該ユーザの現在位置を受信し、前記テキスト地図データに含まれる位置情報のうち当該ユーザの現在位置から所定範囲内に位置する位置情報に関連付けられたテキストデータから、予め記憶手段に記憶されていた当該ユーザのプロフィールに含まれるテキストを検索し、検索された前記テキストデータに関連付けられた位置情報に基づいてスポットを特定するスポット特定手段と、前記特定されたスポットに関する情報を前記ユーザ端末に配信するスポット情報配信手段と、を備えた情報配信装置と、を備え、前記スポット特定手段は、当該ユーザの現在位置から所定範囲内に位置するスポットの前記テキスト地図データをさらに抽出し、前記スポット情報配信手段は、前記抽出されたテキスト地図データを前記スポット情報とともに配信し、前記スポット情報が示す位置に前記スポット情報に関連付けられた前記テキストデータを配置したテキスト地図を前記ユーザ端末に画面表示させることを特徴とする。
【００１３】
この発明では、テキスト地図データはブログやツイッター等のテキスト入力可能なサービスに書き込まれた記事に基づいて作成されているため、実際にそのスポットを訪れたユーザのそのスポットに関する情報や感想等が反映されている。したがって、ユーザのプロフィールに合致するテキストが貼り付けられたスポットは、そのユーザが興味を持つスポットとなる可能性が高い。このように、ユーザのプロフィールに基づいて特定されたスポットの情報は、ユーザにとって有益であるため、ユーザの満足度を満たすことができる。
【００１４】
本発明の情報配信方法は、ユーザ端末に対してスポット情報を配信する情報配信方法であって、テキスト入力可能なサービスを提供するサーバ装置から位置情報付きのテキストデータを取得するステップと、平面上に、前記位置情報に応じた座標位置に、当該位置情報に対応する前記テキストデータを貼り付けたテキスト地図データを作成するステップと、前記ユーザ端末から当該ユーザの現在位置を受信するステップと、前記テキスト地図データに含まれる位置情報のうち当該ユーザの現在位置から所定範囲内に位置する位置情報に関連付けられたテキストデータから、予め記憶手段に記憶されていた当該ユーザのプロフィールに含まれるテキストを検索し、検索された前記テキストデータに関連付けられた位置情報に基づいてスポットを特定し、当該ユーザの現在位置から所定範囲内に位置するスポットの前記テキスト地図データを抽出するステップと、前記特定されたスポットに関する情報を前記ユーザ端末に配信するとともに、前記抽出されたテキスト地図データを前記スポット情報とともに配信し、前記スポット情報が示す位置に前記スポット情報に関連付けられた前記テキストデータを配置したテキスト地図を前記ユーザ端末に画面表示させるステップと、を備えたことを特徴とする。
【００１５】
この発明では、テキスト地図データはブログやツイッター等のテキスト入力可能なサービスに書き込まれた記事に基づいて作成されているため、実際にそのスポットを訪れたユーザのそのスポットに関する情報や感想等が反映されている。したがって、ユーザのプロフィールに合致するテキストが貼り付けられたスポットは、そのユーザが興味を持つスポットとなる可能性が高い。このように、ユーザのプロフィールに基づいて特定されたスポットの情報は、ユーザにとって有益であるため、ユーザの満足度を満たすことができる。
【図面の簡単な説明】
【００１６】
【図１】本発明の実施形態にかかる情報配信装置のネットワーク構成および機能構成を示すブロック図。
【図２】前記情報配信装置で作成されるテキスト地図の概略図。
【図３】前記情報配信装置の動作を示すフローチャート。
【図４】前記情報配信装置の動作を示すフローチャート。
【発明を実施するための形態】
【００１７】
＜第１実施形態＞
以下、本発明の第１実施形態を図面に基づいて説明する。
情報配信システム１は、図１に示すように、情報配信装置１０と、ブログサーバ２０と、ユーザ端末３０と、がそれぞれインターネット２を介して接続された構成となっている。
【００１８】
情報配信装置１０は、ブログサーバ２０から配信されるブログ記事を受信し、このブログ記事に含まれる位置情報付きのテキストデータを抽出し、このテキストデータと位置情報とを関連付けてテキスト地図を作成する。また、情報配信装置１０には、予めユーザ端末３０がユーザ登録され、各ユーザ端末３０には、ユーザを識別するユーザＩＤが付与され、各ユーザのプロフィールがユーザＩＤに関連付けられて記憶されている。
情報配信装置１０は、ユーザ端末３０の現在位置を受信し、テキスト地図上の当該現在位置の周辺でユーザのプロフィールに合致するテキストデータを検索し、当該テキストデータに関連付けられたスポットを、当該ユーザ端末３０に対して送信する。
【００１９】
以下、各構成について詳述する。
インターネット２はＴＣＰ／ＩＰなどの汎用のプロトコルに基づくインターネットであるが、これに限られない。例えば、無線媒体により情報が送受信可能な複数の基地局がネットワークを構成する通信回線網などのネットワーク、など、データを送受信させるいずれの構成も利用できる。
【００２０】
情報配信装置１０は、ハードウェア構成として、ＲＡＭ（Random Access Memory）やＲＯＭ（Read Only Memory）等の記憶手段と、ＣＰＵ（Central Processing Unit）等の制御手段と、を備えている。ＲＡＭはデータなどを一時的に記憶できる一時領域などを有しており、ＲＯＭはＯＳ（Operating System:基本ソフトウェア）や各種サーバを制御するプログラム、各種アプリケーション、各種データ等が格納されている。ＣＰＵは、これらの記憶手段に格納されているプログラムを読み出し、このプログラムに従って各種処理を行う。
【００２１】
情報配信装置１０の記憶手段には、図１に示すように、テキスト地図データベース１０１と、ユーザデータベース１０２と、スポットデータベース１０３と、が記憶されている。
テキスト地図データベース１０１は、例えば、以下の表１に示すように、位置を示す緯度や経度の座標と、当該位置に関するテキストと、が関連付けられて１つのレコードとして記憶されたテーブル構造となっている。
【００２２】
【表１】
0005300833.tif 000002
【００２３】
ユーザデータベース１０２は、例えば、以下の表２に示すように、ユーザを識別するユーザＩＤと、当該ユーザのプロフィール情報と、が関連付けられて１つのレコードとして記憶されたテーブル構造となっている。プロフィール情報としては、ユーザに関する情報であれば特に限定されず、例えば、ユーザの趣味、嗜好等が記憶されている。
【００２４】
【表２】
0005300833.tif 000003
【００２５】
スポットデータベース１０３は、スポットを識別するスポットＩＤと、スポットの名称と、スポットの位置を示す緯度や経度の座標と、交通案内等の情報と、が関連付けられて記憶されている。
【００２６】
また、情報配信装置１０は、制御手段の機能構成として、テキスト取得部１１と、本テキスト地図作成部１２と、位置情報受信部１３と、スポット抽出部１４と、スポット情報配信部１５と、を備えている。位置情報受信部１３およびスポット抽出部１４は、本発明のスポット特定手段として機能する。
【００２７】
テキスト取得部１１は、ブログサーバ２０から配信されるブログ記事を受信し、ブログ記事に含まれる位置情報付きのテキストデータを取得する。位置情報付きのテキストデータは、ブログサーバ２０のブログサービスを利用するユーザが携帯電話等からブログサイトにアクセスして記事を書き込む際、ＧＰＳ信号を受信することで算出された位置情報を記事に付加することにより生成される。位置情報には、そのブログ記事に関係のある位置を示す緯度や経度の座標、およびその位置にいた時間等が含まれている。
【００２８】
テキスト地図作成部１２は、テキスト取得部１１で取得した位置情報とテキストデータとを関連付けてテキスト地図データベース１０１に記憶させるとともに、これらのデータに基づいてテキスト地図を作成する。テキスト地図は、図２に示すように、平面上に、各データの座標が示す位置に該当するテキストを貼り付けたものである。
【００２９】
位置情報受信部１３は、ユーザ端末３０から送信されるユーザの位置情報と当該ユーザ端末３０に付与されたユーザＩＤとを受信する。具体的には、ユーザ端末３０においてＧＰＳ信号を受信することで算出された位置情報を受信する。位置情報には、ユーザ端末３０の位置を示す緯度や経度の座標等が含まれている。
【００３０】
スポット抽出部１４は、ユーザ端末３０のユーザＩＤに基づいて、ユーザデータベース１０２から当該ユーザＩＤに関連付けられたプロフィールを取得し、このプロフィールに含まれるテキストとテキスト地図上に貼り付けられたテキストとが一致する場所を特定する。そして、テキスト地図上の該当するテキストに関連付けられた位置座標とスポットデータベース１０３に記憶された座標とに基づいてスポットを特定する。
スポット情報配信部１５は、特定されたスポットを識別するスポットＩＤに関連付けられたスポット情報を、スポットデータベース１０３から取得し、当該スポット情報を当該ユーザ端末３０へ配信する。スポット情報としては、スポットの名称、場所、業種、交通案内等が含まれている。ユーザ端末３０では、スポット情報がテキスト形式で表示される。
【００３１】
ブログサーバ２０は、ブログサービスをユーザに提供するサーバ装置であり、情報配信装置１０と同様のハードウェア構成を有している。ブログサーバ２０は、制御手段の機能構成として、ブログ管理手段とブログ配信手段とを有している。ブログ管理手段はユーザに提供するブログサービスを管理し、ブログ配信手段はユーザにより書き込みのあったブログ記事を情報配信装置１０に配信する。情報配信装置１０に対して配信されるブログ記事には、位置情報付きのテキストデータが含まれている。
【００３２】
ユーザ端末３０としては、例えば、携帯電話、スマートフォン、モバイルコンピュータなどを使用することができ、ＲＡＭ（Random Access Memory）やＲＯＭ（Read Only Memory）等の記憶手段と、ＣＰＵ（Central Processing Unit）等の制御手段と、を備えている。ユーザ端末３０は、ＧＰＳ信号を受信して経度や緯度の座標を算出し、情報配信装置１０に送信できるように構成されている。
【００３３】
［情報配信装置１０の動作］
次に、情報配信装置１０の動作を、フローチャートに基づいて説明する。
情報配信システム１は、テキスト地図を作成するステップと、ユーザ端末３０に対してスポット情報を提供するステップと、が別々に動作する。
まず、テキスト地図を作成するステップを図３に基づいて説明する。
【００３４】
テキスト取得部１１は、ブログサーバ２０から配信されるブログ記事を受信し、ブログ記事に含まれる位置情報付きのテキストデータを取得する（ステップＳ１１）。
次に、テキスト地図作成部１２は、位置情報とそのテキストデータとを関連付けてテキスト地図データベース１０１に記憶させる（ステップＳ１２）。
そして、テキスト地図作成部１２は、平面上の各データの座標が示す位置に該当するテキストを貼り付けて、テキスト地図を作成する（ステップＳ１３）。テキスト地図作成部１２は、作成したテキスト地図をメモリ等に記憶させる。なお、すでにテキスト地図が作成されている場合は、すでにあるテキスト地図上に新しいテキストをさらに貼り付けていく。
【００３５】
次に、ユーザ端末３０にスポット情報を提供するステップを図４に基づいて説明する。
情報配信システム１では、ユーザ端末３０は予め情報配信装置１０にユーザ登録され、一意に識別可能なユーザＩＤが付与されている。
ユーザは、スポット情報を取得したい場合に、ユーザ端末３０から情報配信装置１０にアクセスして、スポット情報の要求を送信する。このとき、ユーザ端末３０の位置情報とユーザ登録時に付与されたユーザＩＤも同時に送信する。
【００３６】
位置情報受信部１３は、ユーザ端末３０からの要求を位置情報とユーザＩＤとともに受信する（ステップＳ２１）。
次に、スポット抽出部１４は、ユーザＩＤに基づいて、ユーザデータベース１０２から該当ユーザのプロフィールを取得する（ステップＳ２２）。例えば、ユーザＩＤが「１２３３」の場合、上述した表２よりプロフィール「ラーメン」「釣り」のテキストデータを取得する。
【００３７】
そして、スポット抽出部１４は、ユーザ端末３０から受信した位置情報に含まれる座標Ａをテキスト地図の該当する位置にマッピングし（図２参照）、この座標Ａの近辺において、当該ユーザのプロフィールに含まれるテキストに一致するテキストを検索する（ステップＳ２３）。上述の例において、「ラーメン」または「釣り」と一致するテキストを図２に示すテキスト地図上から検索すると、テキスト５０として「ラーメン」が貼り付けられているため、このテキスト５０を特定する。
【００３８】
スポット抽出部１４は、検索されたテキストに関連付けられた位置情報（座標）をテキスト地図データベース１０１から取得するとともに、この座標と一致するスポットをスポットデータベース１０３から抽出する（ステップＳ２４）。
スポット情報配信部１５は、抽出されたスポットに関する情報をスポットデータベース１０３から取得し、当該スポット情報をテキスト形式で表示させる表示データを、スポット情報の要求をしたユーザ端末３０に対して配信する。（ステップＳ２５）。なお、該当するスポットが複数ある場合は、全てのスポット情報を配信する。
ユーザ端末３０の表示画面には、情報配信装置１０から配信されたスポット情報がテキスト形式で表示される。
【００３９】
［第１実施形態の作用効果］
以上の第１実施形態によれば、以下の作用効果を奏することができる。
テキスト地図作成部１２は、ブログサーバ２０から配信されるブログ記事に含まれる位置情報付きのテキストデータに基づいてテキスト地図を作成し、スポット抽出部１４は、スポット情報を要求したユーザ端末３０のプロフィールと合致するテキストをテキスト地図から検索してそのスポットを特定し、スポット情報配信部１５は、特定されたスポットの情報を配信している。
テキスト地図はブログ記事に基づいて作成されているため、実際にそのスポットを訪れたユーザのそのスポットに関する情報や感想等が反映されている。したがって、ユーザのプロフィールに合致するテキストが貼り付けられたスポットは、そのユーザが興味を持つスポットとなる可能性が高い。このように、ユーザのプロフィールに基づいて抽出されたスポットの情報は、ユーザにとって有益であるため、ユーザの満足度を満たすことができる。
【００４０】
＜第２実施形態＞
第２実施形態は、スポット情報配信部１５から配信される表示データの態様が異なる以外は、第１実施形態と同様であるので、第１実施形態と同様の構成および動作は説明を省略する。
スポット情報配信部１６は、第１実施形態と同様に、特定されたスポットを識別するスポットＩＤに関連付けられたスポット情報を、スポットデータベース１０３から取得し、当該スポット情報を当該ユーザ端末３０へ配信する。第２実施形態では、スポット情報をユーザ端末３０で表示させる態様として、地図データを配信する。すなわち、ユーザ端末３０の現在位置をマッピングした地図に、情報配信装置１０で抽出されたスポットをマッピングした地図データ（表示データ）をユーザ端末３０に送信し、ユーザ端末３０でこの地図を画面表示させる。この場合、各スポットの詳細情報（名称、場所、業種、交通案内等）は、地図上のマッピング位置を選択またはカーソルを移動させることで表示させる。
【００４１】
このような第２実施形態によれば、前述の第１実施形態の作用効果の他にも以下の作用効果を奏することができる。
ユーザ端末３０で地図を画面表示させることにより、ユーザ自身の現在位置と、情報配信装置１０により抽出されたスポットとの位置関係や、道順等を一目で把握することができ、利便性が高い。すなわち、ユーザの満足度をより向上させることができる。
【００４２】
＜変形例＞
なお、本発明は、上述した実施形態に限定されるものではなく、本発明の目的を達成できる範囲で、以下に示される変形をも含むものである。
例えば、上記実施形態では、テキスト取得部１１は、ブログサーバ２０に書き込まれたブログ記事から位置情報付きのテキストデータを取得したが、テキストデータの取得先はブログサーバ２０に限られない。位置情報付きのテキストデータが書き込み可能なサービスであればよく、例えば、ツイッター等のソーシャルネットワーキングサイトから取得することができる。
【００４３】
また、上記実施形態では、情報配信装置１０によって抽出されたスポットに関する情報をユーザ端末３０に配信しているが、スポット情報の他にも、情報配信装置１０で作成したテキスト地図を表示データとして配信してもよい。これによれば、ユーザ端末３０で表示されたテキスト地図を閲覧するユーザは、情報配信装置１０で抽出されたスポット以外の情報も閲覧することができ、有益な情報を得ることができる。
この場合、情報配信装置１０で抽出されたスポット以外のテキストが示すスポットの詳細情報を得たい場合は、当該テキストを選択して情報配信装置１０に送信する。そして、情報配信装置１０は当該テキストに関連付けられた位置情報に基づいてスポットデータベース１０３からスポットを特定し、当該スポットの情報を取得して、ユーザ端末３０に送信する。
【００４４】
また、上記実施形態では、ユーザ端末３０からの要求があると、スポット抽出部１４がスポットを特定し、このスポットの情報をスポット情報配信部１５によりユーザ端末３０に配信しているが、位置情報受信部１３が定期的にユーザ端末３０にアクセスして現在位置を取得し、一方的にユーザ端末３０にスポット情報を配信する構成であってもよい。
【００４５】
また、上記実施形態では、ブログサーバ２０で記事が書き込まれるたびにその記事が情報配信装置１０に配信される構成であったが、例えば、ブログサーバ２０が所定期間に書き込まれたブログ記事を蓄積しておき、所定期間が終了後にまとめて情報配信装置１０に配信する構成であってもよい。
【産業上の利用可能性】
【００４６】
本発明は、ユーザに対してスポット情報を配信するための情報配信装置、情報配信システム、および情報配信方法として利用できる。
【符号の説明】
【００４７】
１…情報配信システム
１０…情報配信装置
１１…テキスト取得部
１２…テキスト地図作成部
１３…位置情報受信部
１４…スポット抽出部
１５，１６…スポット情報配信部
２０…ブログサーバ
３０…ユーザ端末
１０１…テキスト地図データベース
１０２…ユーザデータベース
１０３…スポットデータベース
【図１】
0005300833.tif 000004
【図２】
0005300833.tif 000005
【図３】
0005300833.tif 000006
【図４】
0005300833.tif 000007